(57)【要約】【課題】  スライドカバーを備えた携帯製品として、特にその開閉操作を容易にし、しかも小型化を可能にした携帯製品を提供する。【解決手段】  機器本体と、機器本体に取り付けられたスライドカバー１３とを備え、スライドカバー１３が、機器本体の操作部または機能部１１、１２の少なくとも一部を覆う状態とこれを露出させる状態との間を移動可能に取り付けられてなる携帯製品である。機器本体の外面およびスライドカバー１３の内面のいずれか一方に第１係合部１５が設けられ、機器本体の外面およびスライドカバーの内面の他方に、第１係合部１５に係合する第２係合部２０ａを有した線状あるいは細板状の弾性部材２０が、スライドカバー１３の移動方向を弾性復帰方向とするよう弾性変形した状態に設けられてなり、弾性部材２０が波形に成形されている。【選択図】        図２
2005311510.tif 000002
【特許請求の範囲】
【請求項１】
機器本体と、該機器本体に取り付けられたスライドカバーとを備え、前記スライドカバーが、前記機器本体の操作部または機能部の少なくとも一部を覆う状態とこれを露出させる状態との間を移動可能に取り付けられてなる携帯製品において、前記機器本体の外面およびスライドカバーの内面のいずれか一方に第１係合部が設けられ、前記機器本体の外面およびスライドカバーの内面の他方に、前記第１係合部に係合する第２係合部を有した線状あるいは細板状の弾性部材が、前記スライドカバーの移動方向を弾性復帰方向とするよう弾性変形した状態に設けられてなり、前記弾性部材が波形に成形されてなることを特徴とする携帯製品。
【請求項２】
前記弾性部材は、少なくとも一周巻回したループ部を有した事を特徴とする請求項1記載の携帯製品。
【請求項３】
前記操作部または機能部がカメラのレンズ部であることを特徴とする請求項１または２記載の携帯製品。
【発明の詳細な説明】
【技術分野】
【０００１】
本発明は、ＰＨＳ（Personal Handyphone System）端末を含む携帯電話装置やデジタルカメラ等の携帯製品に係り、特にスライドカバーを備えた携帯製品に関する。
【背景技術】
【０００２】
従来、携帯製品として携帯電話装置やデジタルカメラが知られている。このような製品の中で例えば携帯電話装置にあっては、スライド開閉するスライドカバーでキー操作部を覆う構造のものが提供されている（例えば、特許文献１、特許文献２参照）。
また、携帯電話装置としては、ＣＣＤ等からなるカメラを有し画像の記録や伝送できるように構成された製品が提供されている。ところが、このようなカメラを有した携帯電話装置にあっては、カメラ機能以外の操作時で、カメラが使われない状態であっても、他人からはカメラの操作を行っているか否かの区別ができない。そのため、例えばカメラのレンズ部が向けられた人に対して、自分が撮影されているのではないかといった疑いから不快感を与えてしまう恐れがある。そこで、スライドカバーによりカメラのレンズ部を覆う構造が考えられる。
【０００３】
ところで、このような携帯製品にあっては、その操作性をより良好にするため、前記のキー操作を覆うスライドカバーや、カメラのレンズ部を覆うスライドカバーについても、その開閉操作がより簡便であることが望まれている。スライドカバーを容易に開閉できる構造としては、スライドカバーにバネ等の弾性部材を設け、その付勢力（弾性復帰力）を利用して開閉を半自動化することが考えられる。
【特許文献１】特開２００１−１１９４５６号公報
【特許文献２】特開２００２−５５７３７号公報
【発明の開示】
【発明が解決しようとする課題】
【０００４】
また、一般に携帯製品にあっては、携帯し持ち歩く必要があるため、小型であることが望まれている。したがって、構成部品についてもさらなる小型化が要求されており、前記のスライドカバーを備えた携帯製品にあっても、例えば弾性部材を設けた場合に、これがスライドカバーの開閉を可能とするストローク量を確保しつつ、十分に小型化されていることが望まれている。
【０００５】
本発明では前記事情に鑑みてなされたもので、その目的とするところは、スライドカバーを備えた携帯製品として、特にその開閉操作を容易にし、しかも小型化を可能にした携帯製品を提供することにある。
【課題を解決するための手段】
【０００６】
本発明の携帯製品は、上記課題を解決するために、機器本体と、該機器本体に取り付けられたスライドカバーとを備え、前記スライドカバーが、前記機器本体の操作部または機能部の少なくとも一部を覆う状態とこれを露出させる状態との間を移動可能に取り付けられてなる携帯製品において、前記機器本体の外面およびスライドカバーの内面のいずれか一方に第１係合部が設けられ、前記機器本体の外面およびスライドカバーの内面の他方に、前記第１係合部に係合する第２係合部を有した線状あるいは細板状の弾性部材が、前記スライドカバーの移動方向を弾性復帰方向とするよう弾性変形した状態に設けられてなり、前記弾性部材が波形に成形されてなることを特徴としている。
【０００７】
このようにすれば、弾性部材が、スライドカバーの移動方向を弾性復帰方向とするような弾性変形した状態で設けられており、第１係合部が弾性部材の第２係合部に係合されているので、スライドカバーを開き方向あるいは閉じ方向に移動させた際、第１係合部が前記第２係合部の弾性復帰によって移動方向に付勢されることになり、よってスライドカバーの移動が円滑になされるようになる。
さらに、弾性部材が波形に成形されていることで、例えばその両端が固定された状態で弾性部材に引張力が与えられると、前記弾性部材は個々の波の幅が広がる事により見掛け上で同じ長さの一般的な線形状の弾性部材に比べて、波形となっている分だけストローク量が多く取れる事になる。したがって、前記波形の弾性部材を線形状の弾性部材に対して同じストローク量に設定した場合に、線形状の弾性部材に比べ、見掛け上小型化することが可能となる。
また、単に弾性部材と第１係合部とによってスライドカバーの移動方向への付勢を行うことができるので、複雑な機構や高コストを要することなく容易なスライドカバーの開閉操作を実現することが可能となる。
【０００８】
また、前記携帯装置においては、弾性部材が、少なくとも一周巻回したループ部を有しているのが好ましい。
このようにすれば、巻回されたループ部によってこの部分が伸縮可能となることにより、第１係合部が移動するストロークをさらに長くすることが可能になる。
【０００９】
また、前記携帯製品においては、操作部または機能部がカメラのレンズ部である事が好ましい。
このようにすれば、カメラ機能以外の操作時に、カメラレンズ部をスライドカバーで覆う事により、カメラレンズ部を他人が意識する事がなくなり、前述したような不快感を与える恐れもなくなる。
【発明の効果】
【００１０】
スライドカバーの移動方向と弾性部材の弾性復帰方向が一致する事で、スライドカバー開閉時には付勢力が働く。そのために、スライドカバーを容易に開閉する事ができる。
弾性部材の形状を線形から波形にすることで見掛け上小型化することが出来るため、部品を搭載する製品の小型化を図る事ができる。
また、特にスライドカバーでカメラのレンズ部を覆った場合に、他人に対して前述したような不快感を与える恐れをなくす事ができる。
【発明を実施するための最良の形態】
【００１１】
以下、本発明の携帯製品を詳しく説明する。
図１(a),(b)は、本発明の携帯製品の一実施形態を示す図であり、これらの図において符号１は携帯電話である。この携帯電話１は、機器本体２と後述するスライドカバー１３とを備えたものである。機器本体２は、主部３と蓋部４とを備えたものであり、これらの主部３と蓋部４との間には接合部５が設けられている。接合部５は、前記主部３及び蓋部４のうちの一方に形成された軸部（図示せず）と、他方に形成された軸受け部（図示せず）とからなるもので、前記軸受け部に軸部が回動可能に保持されて構成されたものである。このような構成のもとに蓋部４は、接合部５により、主部３に対し開閉可能に取り付けられたものとなっている。すなわち、機器本体２は、非通話時等の未使用時にあっては図１(b)に示すように前記接合部５によって蓋部４が折りたたまれ、これにより主部３の内面は、蓋部４に覆われるようになっている。
【００１２】
主部３の内面には、図１(a)に示すようにキー操作部６、送話部７が設けられている。また、蓋部４の内面には、液晶等からなる表示部８、受話部９がそれぞれ設けられており、受話部９の近傍にはアンテナ１０が設けられている。また、蓋部４には、CCD等からなるカメラ（図示せず）が内蔵されており、蓋部４の外面には、図１(b)に示すように前記カメラのレンズ部１１およびフラッシュ１２が設けられている。これらレンズ部１１およびフラッシュ１２は、本発明における機能部となるものである。
【００１３】
また、蓋部４の外面には、前記レンズ部１１およびフラッシュ１２を囲んでスライドカバー取付部材１６が設けられている。このスライドカバー取付部材１６は、略正方形状の取付枠１７と、これの底面部を覆う底板部１８とからなるもので、底板部１８が前記蓋部４の外面に取付けられたものである。底板部１８には、前記レンズ部１１およびフラッシュ１２を臨ませる開口部（図示せず）が形成されている。
【００１４】
また、このスライドカバー取付部材１６は、本実施形態では機能部である前記レンズ部１１およびフラッシュ１２を、前記取付枠１７の、前記接合部５側に配置された辺１７ａ側に臨ませている。また、このスライドカバー取付部材１６は、前記レンズ部１１およびフラッシュ１２を、取付枠１７の略半分の領域に収めるように形成配置されたものである。したがって、前記レンズ部１１およびフラッシュ１２は、取付枠１７に囲まれた領域内の、前記辺１７ａ側の略半分を占めるようになっている。
【００１５】
取付枠１７には、図２（ａ）に示すように、該取付枠１７の略半分の大きさの略長方形のスライドカバー１３が取付けられている。このスライドカバー１３は、その短辺側が、取付枠１７の、前記辺１７ａと直交する辺１７ｂ、１７ｂ間に移動可能に取付けられたものである。
【００１６】
取付枠１７の辺１７ｂ、１７ｂには、図２(ｂ)に示すように、その上端部に内側に延びるガイド１９が形成されている。一方、スライドカバー１３の短辺側には、それぞれの端部に、下方に延びた後、外側に折れ曲がってなる走行部１４が形成されている。そして、これらの走行部１４が前記ガイド１９に摺動可能に係合したことにより、スライドカバー１３は、スライドカバー取付枠１７に保持されるとともに、前記辺１７ｂの長さ方向に移動可能となっている。また、スライドカバー１３の内面側には、裏蓋１３ａが取付けられており、この裏蓋１３ａは、スライドカバー１３と一体に移動するようになっている。
【００１７】
このような構成のもとにスライドカバー１３は、スライドカバー取付部材１６の取付枠１７内を移動することで、前記レンズ部１１およびフラッシュ１２を覆い、あるいはこれを露出させるようになっている。
なお、スライドカバー１３には、これの開閉操作時における指の滑り防止用として、その表面に凹凸等を形成しておいてもよい。
【００１８】
前記スライドカバー１３の内面には係合突起（第１係合部）１５が形成されており、この係合突起１５には弾性部材２０が取付けられている。この弾性部材２０は、スライドカバー１３と裏蓋１３ａとの間に取付けられたものとなっている。弾性部材２０は、ステンレスや高張力鋼などの金属、あるいは合成樹脂等からなるもので、本実施形態では金属製の１本の線材を波形に成形したものが用いられている。波形については、特に形状についても、図２（ａ）に示したような正弦波に近い均一な形状に限定されることなく、不均一な形状としてもよい。
【００１９】
この弾性部材２０には、その中央部に係合部（第２係合部）２０ａが形成されており、両端部には、図２（ｂ）に示すように一旦下方に折れ、その後水平方向に伸びるよう折曲された折曲部２０ｂが形成されている。係合部２０ａは、前記スライドカバー１３の係合突起１５に対し、これを周回することでこれに係合したものである。折曲部２０ｂは、前記蓋部１３ａの側部から引き出され、さらに前記スライドカバー取付部材１６の底板部１８に形成された長円状の取付孔２１に挿通され、その底板側に引き出されることにより、底板部１８、すなわち蓋部４側に保持固定されたものとなっている。すなわち、折曲部２０ｂは、取付孔２２から引き出された先端部が底板部１８と蓋部４との間に保持されることにより、ここに固定されたものとなっている。
【００２０】
ここで、取付孔２１は、図２（ａ）に示したように取付枠１７の辺１７ｂの中央部近傍に形成されており、これによって弾性部材２０は、その両折曲部２０ｂ、２０ｂが、取付枠１７の略中央部に配置されたものとなっている。なお、取付孔２２は図２（ａ）に示したように長円状になっていることにより、弾性部材２０の組立時に、前記折曲部２０ｂはこの取付孔２２に挿通することができ、これにより組立性が良好になっている。
【００２１】
そして、このように弾性部材２０は、その両端部（折曲部２０ｂ）がスライドカバー取付部材１６の底板部１８に固定され、一方、中央の係合部２０ａがスライドカバー１３に固定されていることにより、スライドカバー１３が取付枠１７内を移動した際、その中央の係合部２０ａ側のみがこれに連動するようになっている。
また、この弾性部材２０は、前記折曲部２０ｂが取付孔２２に挿通されたことによって底板部１８に保持固定された際、全体が見掛け上、略円弧状に湾曲し弾性変形した状態となるよう、その長さが取付孔２２、２２間の間隔より十分に長く形成されている。このような構成のもとに弾性部材２０は、スライドカバー１３の移動に伴ってその中央部側が、前記レンズ部１１およびフラッシュ１２側に凸となるように湾曲し、あるいはその反対側に湾曲するようになっている。
【００２２】
このような構成のもとに弾性部材２０は、見掛け上、湾曲した状態から直線状に戻る方向を弾性復帰方向とし、スライドカバー１３の移動方向が、弾性復帰方向に一致するようになっている。したがって、スライドカバー１３の係合突起１５には、弾性部材２０が弾性復帰する際に該弾性部材２０によって付勢力が付与するようになっている。  
また、本発明の弾性部材２０は、前述したように前記レンズ部１１およびフラッシュ１２側に凸となるように湾曲し、あるいはその反対側に湾曲した際には、個々の波形もその波の幅を広げた状態、あるいは狭めた状態に弾性変形している。したがって、前述したように弾性部材２０が見掛け上湾曲した状態から直線状に戻る方向に弾性復帰した際に、このような個々の波形も本来の幅に弾性復帰することで、本来の弾性部材２０は、その弾性復帰による付勢力も相乗的に大きくなっているのである。
【００２３】
ここで、弾性部材２０は、同じ材質（線径）のものであれば、その実質的な長さにより、弾性変形した状態から弾性復帰する際のストローク量が規制される。また、このようにして規制されたストローク量に基づき、その付勢力も規定されるようになっている。よって、本実施形態の弾性部材２０は、例えば波形に成形されていない直線状のものに比べ、実質的な長さが同じであり、したがってほぼ同等のストローク量を有する弾性部材に比べて、見掛け上の長さが小さくされたものとなっている。さらに、前述したように波形に成形したことによる付勢力の増加効果により、所望の付勢力を得るための部材としては、直線状のものに比べてその小型化が可能になっている。
【００２４】
次に、このような構成からなる携帯電話１の、スライドカバー１３の開閉機構について説明する。
まず、スライドカバー１３が閉まった状態すなわち、レンズ部１１およびフラッシュ１２を覆った状態では、図２(ａ)に示すように前記弾性部材２０は、前記レンズ部１１方向に湾曲した状態となっている。
この状態では、弾性部材２０は弾性復帰方向を矢印Ｄ方向としているものの、その両端部である折曲部２０ｂ、２０ｂが固定されていることから、この状態で安定しており、したがってこの弾性部材２０によってスライドカバー１３は閉まった状態にロックされたものとなっている。
【００２５】
この閉まった状態からスライドカバー１３を開く場合には、例えば携帯電話１を片手で持った状態で、その手の親指などでスライドカバー１３を図２（ａ）中、矢印Ｄ矢印にスライドさせる。すると、スライドカバー１３の移動に伴って前記係合突起１５も矢印Ｄ方向に移動し、この係合突起１５に伴われて弾性部材２０の中央の係合部２０が移動することにより、弾性部材２０はその湾曲方向を矢印Ｃ方向から矢印Ｄ方向に変える。湾曲方向が変わる際に、弾性部材２０は、弾性復帰する力を先に湾曲していた矢印Ｃ方向と逆の方向、すなわち矢印Ｄ方向に発現する。したがって、スライドカバー１３を指でスライドさせた際、当初においてはある程度の力が必要であるものの、弾性部材２０の湾曲方向が変わった後にはこの弾性部材２０によって付勢されることにより、スライドカバー１３は大きな力を必要とすることなく円滑にスライドし、蓋部４の前記カメラのレンズ部１１およびフラッシュ１２はスライドカバー１３が開くことで、露出することになる。
また、このようにして開かれたスライドカバー１３を再度閉じる場合には、スライドカバー１３を前記レンズ部１１方向にスライドさせることで行うことができる。この場合にも弾性部材２０の作用により、スライドカバー１３は大きな力を必要とすることなく円滑にスライドするようになる。
【００２６】
このような携帯電話１にあっては、弾性部材２０が、スライドカバー１３の移動方向を弾性復帰方向とするよう弾性変形した状態に設けられているので、スライドカバー１３を開き方向あるいは閉じ方向に移動させた際、係合突起１５が前記弾性部材２０の中央部に係合した状態で移動させられることにより、この係合突起１５が前記弾性部材２０の弾性復帰によって移動方向に付勢されることになる。したがって、この付勢力によってスライドカバー１３の移動が円滑になされることから、スライドカバー１３の開閉操作を片手のみで容易にできるようになる。
また、弾性部材２０が波形に成形されているので、この弾性部材２０に引張力が与えられると、個々の波の幅が広がる事によって、見掛け上が同じ長さの線材状の弾性部材に比べて、波形の分だけストローク量が多く取れる事になる。したがって、前記弾性部材２０が、線材状の弾性部材に比べて同等のストローク量を有し、かつ見掛け上小型化されたものとなることから、これを有した有した携帯電話１も小型化が図られたものとなる。
また、カメラ（図示せず）機能以外の操作時において、スライドカバー１３で、前記カメラのレンズ部１１およびフラッシュ１２を覆うことで、カメラレンズ部を他人が意識する事がなくなり、他人に前述したような不快感を与える恐れをなくすことができる。
【００２７】
また、単に弾性部材２０と係合突起１５とによってスライドカバー１３の移動方向への付勢を行うことができるので、複雑な機構や高コストを要することなく片手でのスライドカバー１３の開閉操作を実現することができる。
【００２８】
また、前記係合突起１５が前記弾性部材２０の中央部に係合した状態で固定し、しかもストロークをさらに長くしたい場合には、例えば図３に示すように弾性部材２０にループ状に１周巻回したループ部２２を形成するようにしてもよい。このようにすれば、このループ部２２によってこの部分が収縮可能となることにより、全体としてコンパクトな形状を保持しつつ、係合突起１５が移動するストロークＳを長くすることができる。また、同時に、弾性部材２０の長さを実質上長くすることができるので、耐久性あるいは移動の感触についてもこれを向上させることができる。
【００２９】
また、前記弾性部材２０の係合部２０ａの近傍では、ストロークが最も大きくなるため、応力の集中が高くなる。そこで、例えば、図４に示すように、係合部２０ａの両隣の波の山または谷部に１周巻回したループ部３６を形成するようにしてもよい。このようにすれば、このループ部３６において応力集中する部分を実質上長くすることができるので、係合部２０ａ近傍での応力の集中を緩和し、この弾性部材２０の強度および耐久性を向上させることが出来る。なお、このようなループ部３６については、必要に応じて任意の波に設けることが出来る。
【００３０】
図５、図６(ａ),(ｂ)は本発明の携帯装置の、他の実施形態を示す図である。図５において符号２２は携帯電話である。この携帯電話２２は、機器本体２３とこれに取り付けられたスライドカバー２４とからなるものである。
装置本体２３は、略直方体状の筺状のもので、一方の側にアンテナ２５を有し、さらにこのアンテナ２５側から他方の側にかけて順に、受話部２６、表示部２７、キー操作部（操作部）２８、送話部２９を有したものである。
【００３１】
機器本体２３には、その両側面にそれぞれ溝３１が形成されており、これら溝３１、３１には、スライドカバー２４の両側板部の内側に形成された突条３２が係合している。
このような構成によって、スライドカバー２４は機器本体２３に対し、アンテナ２５側およびその反対側に移動可能となっている。ここで、突条３２は前記溝３１の長さより十分短くなっており、これによって溝３１内を移動可能になっている。
【００３２】
スライドカバー２４の上面部の内側には、図６(ａ),(ｂ)に示すように、係合突起（第１係合部）３４が形成されており、この係合突起３４には、前記実施形態の弾性部材２０と同様に波形に成形された弾性部材３０が取付けられている。
前記弾性部材３０は、係合部（第２係合部）３０ａによりスライドカバー２４の係合突起３４に係合し、さらに機器本体２３に形成された穴部３３、３３に弾性変形した状態で保持固定されている。
このような構成のもとに前記弾性部材３０は、スライドカバー２４に対して弾性復帰方向に付勢力を与えるようになっている。
【００３３】
なお、このスライドカバー２４には、図６（ａ）に示すようにスライドカバー２４を閉めた状態において、機器本体２３に形成された送話部２９の直上となる位置に、貫通した孔からなる音孔３５が形成されており、これによってこの携帯電話２２は、スライドカバー２４を閉めた状態においても良好に通話できるようになっている。
【００３４】
次に、このような構成からなる携帯電話２３の、スライドカバー２４の開閉の機構について説明する。
まず、スライドカバー２４が閉まった状態では、図６（ａ）に示すように、前記係合突起３４は弾性部材３０の係合部３０ａに係合した状態となっており、また、弾性部材３０はアンテナ２５側に見掛け上湾曲した状態となっている。  この状態では、弾性部材３０は弾性復帰方向を矢印Ｂ方向としているものの、その両端部が穴部３３、３３に固定されていることから、この状態で安定しており、したがってこの弾性部材３０によってスライドカバー２４は閉まった状態すなわちキー操作部２８を覆った状態にロックされたものとなっている。
【００３５】
この閉まった状態からスライドカバー２４を開く場合には、例えば携帯電話２２を片手で持った状態でその手の親指などでスライドカバー２４をアンテナ２５と反対の側にスライドさせる。すると、スライドカバー２４の移動に伴って係合突起３４が図６（ａ）の中矢印Ｂ方向に移動し、この係合突起３４に伴われて係合部３０ａも移動することにより、弾性部材３０はその湾曲方向を矢印Ａ方向から矢印Ｂ方向に変える。その際、湾曲方向が変わるときに弾性部材３０は、弾性復帰する力を先に湾曲していた方向と逆の方向、すなわち矢印Ｂ方向に発現する。したがって、スライドカバー２４を指でスライドさせた際、当初においてはある程度の力が必要であるものの、弾性部材３０の湾曲方向が変わった後にはこの弾性部材３０によって付勢されることにより、スライドカバー２４は大きな力を必要とすることなく円滑にスライドし、機器本体２３のキー操作部２８を開くことになる。また、スライドカバー２４を閉じる場合には、図６（ｂ）に示すように、矢印Ａ方向にスライドさせると、弾性部材３０の湾曲方向が矢印Ｂ方向から矢印Ａ方向に変わる事で、スライドカバー２４がキー操作部２８を覆うことになる。
【００３６】
このような携帯電話２２にあっても、スライドカバー２４を開き方向あるいは閉じ方向に移動させた際、係合突起３４が前記係合部３０ａに係合した状態で移動させられることにより、この係合突起３４が前記弾性部材３０の弾性復帰によって移動方向に付勢されることになる。したがって、この付勢力によってスライドカバー２４の移動が円滑になされることから、スライドカバー２４の開閉操作を片手のみで容易にできるようになる。
また、弾性部材２０が波形に成形されているので、この弾性部材３０に引張力が与えられると、個々の波の幅が広がる事によって、見掛け上同じ長さの線材の弾性部材に比べて、波形の分だけストローク量が多く取れる事になる。したがって、前記弾性部材３０が、線材の弾性部材に比べて同等のストローク量を有し、かつ見掛け上小型化されたものとなることから、これを有した携帯電話２２も小型化が図られたものとなる。
また、単に弾性部材３０と係合突起３４とによってスライドカバー２４の移動方向への付勢を行うことができるので、複雑な機構や高コストを要することなく片手でのスライドカバー２４の開閉操作を実現することができる。
【００３７】
また、よりストローク量を長くしたい場合には、図３に示したような弾性部材を用いてもよく、さらに、強度や耐久性を向上したい場合には、図４に示したようなループ部３６を形成した弾性部材を用いてもよい。
【００３８】
なお、前記実施形態では、弾性部材として金属製の1本の線材を波形に成形したものを用いたが、本発明ではこれに限定されることなく、弾性を有する樹脂製で細板状の材料を波形に成形して用いるようにしてもよい。
また、前記実施形態では、本発明の携帯製品として、携帯電話１のカメラ部１１およびフラッシュ１２をスライドカバー１３で覆う構成のものや、携帯電話２２のキー操作部２８をスライドカバー２４にて覆う構成のものについて説明したが、本発明はこれらに限定されることなく、デジタルカメラのレンズ部をスライドカバーで覆う構成のものなどにも適応可能である。
【図面の簡単な説明】
【００３９】
【図１】本発明の携帯製品の一実施形態の、概略構成を示す斜視図であり、（ａ）は携帯電話使用時の開いた状態を示す図、（ｂ）は携帯電話を折りたたんだ状態を示す図である。
【図２】（ａ）は図１（ｂ）に示した携帯電話の１部を切り欠いたスライドカバーおよびカメラのレンズ部、フラッシュ部分の平面図であり、（ｂ）は（ａ）におけるＡ−Ａ線矢視断面図である。
【図３】弾性部材の別の形態を示す図である。
【図４】弾性部材の別の形態を示す図である。
【図５】本発明の携帯製品の別の実施形態の、概略構成を示す斜視図である。
【図６】（ａ）はスライドカバーが閉じられた時の弾性部材の状態を示す図であり、（ｂ）はスライドカバーが開かれた状態を示す図である。
【符号の説明】
【００４０】
１…携帯電話（携帯製品）、２…機器本体、６…キー操作部（操作部）、１１…レンズ部（機能部）、１２…フラッシュ（機能部）、１３…スライドカバー、１５…係合突起（第１係合部）、２０…弾性部材、２０ａ…係合部（第２係合部）、２２…携帯電話（携帯製品）、２３…機器本体、２４…スライドカバー、２８…キー操作部（操作部）、３０…弾性部材、３０ａ…係合部（第２係合部）３４…係合突起（第１係合部）
【図１】
2005311510.tif 000003
【図２】
2005311510.tif 000004
【図３】
2005311510.tif 000005
【図４】
2005311510.tif 000006
【図５】
2005311510.tif 000007
【図６】
2005311510.tif 000008